(57)【特許請求の範囲】
【請求項１】
給水配管から水を供給され、給湯配管から給湯される給湯流量を検出する流量検出部を備えた給湯器の水漏れ判定装置であって、
水漏れを判定する水漏れ判定工程を実行する漏水判定部と、雰囲気温度を計測する雰囲気温度検出部と、前記給水配管中の水温を計測する水温検出部と、を備え、
前記漏水判定部は、前記水漏れ判定工程として、前記流量検出部の出力を監視して給湯停止と給湯開始とを判定する給水監視工程と、前記水温検出部の出力と前記雰囲気温度検出部の出力とを比較して、前記給水配管中の水温と前記雰囲気温度との温度差を判定する温度差判定工程と、前記水温検出部の出力の変動量を判定する変動量判定工程と、を実行し、
前記漏水判定部は、前記給水監視工程で給湯開始を判定し、かつ、前記温度差判定工程で前記温度差が所定温度差以上であると判定し、かつ、前記変動量判定工程で前記変動量が所定の値を下回ると判定した場合に、水漏れが発生していると判定する、給湯器の水漏れ判定装置。
【請求項２】
前記漏水判定部は、さらに前記給水監視工程において所定期間の給湯停止を判定した後に給湯開始を判定した場合に、前記温度差判定工程と、前記変動量判定工程とを実行する、請求項１に記載の給湯器の水漏れ判定装置。
【請求項３】
水漏れの発生を報知する報知部を備え、
前記漏水判定部は、水漏れが発生していると判定した場合に、前記報知部に報知を指示する、請求項１または２に記載の給湯器の水漏れ判定装置。
【請求項４】
前記漏水判定部に対する前記水漏れ判定工程の実行ないし不実行を切り替え自在の入力部を備える、請求項１から３の何れか一項に記載の給湯器の水漏れ判定装置。
【請求項５】
前記給湯器は、ケーシングと、前記ケーシング内に設けられた給湯熱源とを備え、前記給水配管から供給された水を前記給湯熱源で加熱して前記給湯配管から給湯し、
前記雰囲気温度検出部は、前記ケーシング外の雰囲気温度を計測し、
前記水温検出部は、前記ケーシング内の前記給水配管中の水温を計測する、請求項１から４の何れか一項に記載の給湯器の水漏れ判定装置。
【請求項６】
給水配管から水を供給され、給湯配管から給湯される給湯流量の流量検出部を備えた給湯器の水漏れ判定方法において、
雰囲気温度を計測し、
さらに前記給水配管中の水温を計測し、
前記流量検出部の出力を監視して給湯停止と給湯開始とを判定する給水監視工程を実行し、
前記給水配管中の水温と、前記雰囲気温度と比較して、前記給水配管中の水温と前記雰囲気温度との温度差を判定する温度差判定工程を実行し、
前記水温の変動量を判定する変動量判定工程を実行し、
前記給水監視工程で給湯開始を判定し、かつ、前記温度差判定工程で前記温度差が所定温度差以上であると判定し、かつ、前記変動量判定工程で前記変動量が所定の値を下回ると判定した場合に、水漏れが発生していると判定する、給湯器の水漏れ判定方法。
【発明の詳細な説明】
【技術分野】
【０００１】
本発明は、給湯配管から給湯される給湯流量を検出する流量検出部を備えた給湯器の水漏れ判定装置および水漏れ判定方法に関する。
【背景技術】
【０００２】
給湯配管から給湯される給湯流量を検出する流量検出部を備えた給湯器においては、その配管の継ぎ目からの水漏れや、配管の腐食による水漏れが発生したり、給湯を制御するバルブの動作不良によってバルブを閉にした場合にも、バルブの上流から下流へ、水漏れが発生したりすることがある。ここで、バルブ動作不良には、バルブの弁体に異物を噛みこむなどして、閉とならない場合のような、一時的な動作不良も含まれる。
【０００３】
このような給湯器は、給湯流量の流量検出部を備えているため、発生した水漏れの漏れ量が多い場合には、流量検出部で漏れに伴う流量を検出することができる場合もある。
しかし通常は、流量検出部は給湯に伴う流量を検出するものであるから、給湯流量検出部の流量検出可能なダイナミックレンジは給湯時の流量範囲に設定される。したがって、給湯時の流量よりも十分小さい流量の水漏れが発生している場合には、流量検出部で検知できない。
【０００４】
このような水漏れの検知について、水漏れ量が少なくても、水漏れを確実に検知することのできる給湯器が提案されている（特許文献１）。
しかし、この特許文献１が提案するような給湯器は、給水流路に給湯流量の流量検出部（流量センサ）を備えているにも関わらず、この流量検出部とは別に、水漏れに伴う漏水を一次貯留する容器や、当該容器に貯留した漏水の推移を検知する水位センサを要する。つまり、水漏れを検知するために、新たな部品等を要するため、簡便でない。
【先行技術文献】
【特許文献】
【０００５】
【特許文献１】特開２００２−１４７８４７号公報
【発明の概要】
【発明が解決しようとする課題】
【０００６】
そこで、少量の水漏れが発生している場合にも、新たな部品を要することなく簡便に水漏れを検知する装置および水漏れを検知する方法が望まれる。
【０００７】
本発明は、かかる実状に鑑みて為されたものであって、その目的は、少量の水漏れが発生している場合にも、簡便に水漏れを検知する給湯器の水漏れ判定装置および水漏れ判定方法を提供することにある。
【課題を解決するための手段】
【０００８】
上記目的を達成するための本発明に係る給湯器の水漏れ判定装置の特徴構成は、
給水配管から水を供給され、給湯配管から給湯される給湯流量を検出する流量検出部を備えた給湯器の水漏れ判定装置であって、
水漏れを判定する水漏れ判定工程を実行する漏水判定部と、雰囲気温度を計測する雰囲気温度検出部と、前記給水配管中の水温を計測する水温検出部と、を備え、
前記漏水判定部は、前記水漏れ判定工程として、前記流量検出部の出力を監視して給湯停止と給湯開始とを判定する給水監視工程と、前記水温検出部の出力と前記雰囲気温度検出部の出力とを比較して、前記給水配管中の水温と前記雰囲気温度との温度差を判定する温度差判定工程と、前記水温検出部の出力の変動量を判定する変動量判定工程と、を実行し、
前記漏水判定部は、前記給水監視工程で給湯開始を判定し、かつ、前記温度差判定工程で前記温度差が所定温度差以上であると判定し、かつ、前記変動量判定工程で前記変動量が所定の値を下回ると判定した場合に、水漏れが発生していると判定する点にある。
【０００９】
上記構成によれば、給水配管中の水温と、雰囲気温度とを比較し、水漏れ判定工程を実行することができる。ここで、雰囲気温度とは、給水配管の周囲の雰囲気の温度である。
通常、給水配管から給湯器に供給される水の水温は雰囲気温度に近い温度になる。
しかし、給湯が停止している場合、給水配管中の水の流れは停止する。この場合、当該給水配管中の水の水温は、経時的に変化する。
【００１０】
すなわち、例えば給湯器が給湯する場合、電気ヒータや熱交換器などの給湯熱源や、給湯配管などの配管の温度は上昇する。よって、給湯が停止した場合、給湯熱源や下流の配管などからの熱伝導や輻射熱により、給湯器の給水配管中の水温は、雰囲気温度に比べて上昇する。
【００１１】
また、給湯が停止した場合、その後、給湯が開始されると、給水配管には、雰囲気温度に近い水温の水が再び供給される。したがって、給水配管中の水温は低下する方向に変動する。
【００１２】
このように、給湯が停止した場合、その後、給湯が開始されると、給水配管中の水温は変動する。
しかし、水漏れが発生している場合には、給水配管中の水の流れは停止せず、給水配管には、雰囲気温度に近い水温の水の供給が継続される。したがって、水漏れが発生している場合には、給湯が停止した場合、その後、給湯が開始された場合にも、給水配管中の水温は変動ないか、変動する場合にも、の水配管中の水温の変動量は、水漏れが発生していない場合に比べて小さい。
【００１３】
したがって、漏水判定部は、給水監視工程で給湯開始を判定し、かつ、給水配管中の水温と雰囲気温度との温度差を判定する温度差判定で、当該温度差が所定温度差であると判定し、かつ、水温検出部の出力の変動量を判定する変動量判定工程でその後の当該変動量が所定の値を下回ると判定した場合に、水漏れが発生していると判定することができる。
したがって、少量の水漏れが発生している場合にも、簡便に水漏れを検知する水漏れ判定装置を提供することができる。
【００１４】
本発明に係る給湯器の水漏れ判定装置の更なる特徴構成は、
前記漏水判定部は、さらに前記給水監視工程において所定期間の給湯停止を判定した後に給湯開始を判定した場合に、前記温度差判定工程と、前記変動量判定工程とを実行する点にある。
【００１５】
上記構成によれば、さらに所定期間の給湯停止を判定した場合に、漏水判定部は水漏れが発生していると判定する。
この場合、所定時間の給水が停止している間に、水漏れが発生していない場合は、給水配管中の水の水温は、雰囲気温度に比べて上昇する。したがって、その後、給湯が開始されると、給水配管中の水温は大きく変動する。
したがって、水漏れが発生している場合と、水漏れが発生している場合とを、確実に判定することができる。
【００１６】
本発明に係る給湯器の水漏れ判定装置の更なる特徴構成は、
水漏れの発生を報知する報知部を備え、
前記漏水判定部は、水漏れが発生していると判定した場合に、前記報知部に報知を指示する点にある。
【００１７】
上記構成によれば、水漏れが発生していると判定した場合に報知部で報知することができる。
【００１８】
本発明に係る給湯器の水漏れ判定装置の更なる特徴構成は、
前記漏水判定部に対する前記水漏れ判定工程の実行ないし不実行を切り替え自在の入力部を備える点にある。
【００１９】
上記構成によれば、使用者らは入力部を介して、漏水判定部に水漏れ判定工程の実行ないし不実行を指示することができる。
したがって使用者らは、水漏れ判定工程の実行を望まない場合には、漏水判定部に水漏れ判定工程の不実施を指示し、漏水判定部に指示することができる。例えば冬場の給湯器の凍結防止のために、使用者らが、水栓等からあえて少量の水を出し続けるような場合に、水漏れが発生しているとの誤判定を回避する手段を提供することができる。
【００２０】
本発明に係る給湯器の水漏れ判定装置の更なる特徴構成は、
前記給湯器は、ケーシングと、前記ケーシング内に設けられた給湯熱源とを備え、前記給水配管から供給された水を前記給湯熱源で加熱して前記給湯配管から給湯し、
前記雰囲気温度検出部は、前記ケーシング外の雰囲気温度を計測し、
前記水温検出部前記は、前記ケーシング内の前記給水配管中の水温を計測する点にある。
【００２１】
上記構成によれば、給水配管中の水温と、ケーシング外の雰囲気温度とを比較し、水漏れ判定工程を実行することができる。
通常、給水配管から給湯器に供給される水は、給湯器のケーシングの外部の配管を経て給湯器のケーシング内部の配管に至るため、給湯器に供給される水の水温は、ケーシング外部の雰囲気温度に近い温度になる。
しかし、給湯が停止している場合、給湯器のケーシング内の給水配管中の水の流れは停止する。この場合、当該給水配管中の水の水温は、経時的にケーシング内部の温度に近い水温になる。
【００２２】
すなわち、ケーシング内には給湯熱源が設けられているため、例えば給湯器が給湯する場合、給湯熱源や、給湯配管などの給湯熱源の下流の配管の温度は上昇し、給湯器が給湯を停止した場合にも、給湯熱源や、給湯配管などの給湯熱源の下流の配管お温度は、余熱により上昇する。したがって、ケーシング内の雰囲気の温度は、通常はケーシング外の雰囲気の温度よりも高くなる。よって、給湯が停止した場合、給湯器のケーシング内の給水配管中の水温はケーシング内の雰囲気温度近くまで上昇する。
【００２３】
また、給湯が停止した場合、その後、給湯が開始されると、ケーシング内の給水配管には、ケーシング外部の雰囲気温度に近い水温の水が再び供給される。したがって、給湯器のケーシング内の給水配管中の水温は低下する方向に変動する。
【００２４】
このように、給湯が停止した場合、その後、給湯が開始されると、給湯器のケーシング内の給水配管中の水温は変動する。
しかし、水漏れが発生している場合には、給湯器のケーシング内の給水配管中の水の流れは停止せず、ケーシング内の給水配管には、ケーシング外部の雰囲気温度に近い水温の水の供給が継続される。したがって、水漏れが発生している場合には、給湯が停止した場合、その後、給湯が開始された場合にも、給湯器のケーシング内の給水配管中の水温は変動ないか、変動する場合にも、ケーシング内の給水配管中の水温の変動量は、水漏れが発生していない場合に比べて小さい。
【００２５】
したがって、漏水判定部は、給水監視工程で給湯開始を判定し、かつ、給水配管中の水温とケーシング外の雰囲気温度との温度差を判定する温度差判定で、当該温度差が所定温度差であると判定し、かつ、水温検出部の出力の変動量を判定する変動量判定工程でその後の当該変動量が所定の値を下回ると判定した場合に、水漏れが発生していると判定することができる。
したがって、少量の水漏れが発生している場合にも、簡便に水漏れを検知する水漏れ判定装置を提供することができる。
【００２６】
上記目的を達成するための本発明に係る給湯器の水漏れ判定方法は、
給水配管から水を供給され、給湯配管から給湯される給湯流量の流量検出部を備えた給湯器の水漏れ判定方法において、
雰囲気温度を計測し、
さらに前記給水配管中の水温を計測し、
前記流量検出部の出力を監視して給湯停止と給湯開始とを判定する給水監視工程を実行し、
前記給水配管中の水温と、前記雰囲気温度と比較して、前記給水配管中の水温と前記雰囲気温度との温度差を判定する温度差判定工程を実行し、
前記水温の変動量を判定する変動量判定工程を実行し、
前記給水監視工程で給湯開始を判定し、かつ、前記温度差判定工程で前記温度差が所定温度差以上であると判定し、かつ、前記変動量判定工程で前記変動量が所定の値を下回ると判定した場合に、水漏れが発生していると判定する点にある。
【００２７】
上記構成によれば、上述の給湯器の水漏れ判定装置の場合と同様の作用効果を得ることができる。すなわち、少量の水漏れが発生している場合にも、簡便に水漏れを検知する水漏れ判定方法を提供することができる。
【図面の簡単な説明】
【００２８】
【図１】給湯器の水漏れ判定装置の基本的な構成を説明する概略構成図
【図２】給水配管中の水の水温の変化の様子を説明する図
【図３】水漏れ判定工程の動作を説明する流れ図
【発明を実施するための形態】
【００２９】
図１〜図３に基づいて、本発明の実施形態に係る給湯器１の水漏れ判定装置１００および給湯器１の水漏れ判定方法について説明する。
【００３０】
本実施形態に係る、水漏れ判定装置１００は、給湯器１とともに用いられ、給湯器１の給湯機能の一部として機能する機構である。
【００３１】
まず、給湯器１の概略構成を説明する。
給湯器１は、給湯器１のケーシング６０内部に、配管２０を備え、配管２０に給湯熱源である熱交換器１１を備えている。
この給湯器１は、ガス配管２４から供給される天然ガスなどの燃焼ガスの燃焼火炎で得た熱を、熱交換器１１で、配管２０を通流する水に与えて湯水とすることで、給湯機能を実行する。
【００３２】
本例では、給湯器１は、ケーシング６０内に設けられた熱交換器１１と、給水配管２１（配管２０）から供給された水を熱交換器１１で加熱して給湯配管２３（配管２０）から給湯する給湯流量を検出する流量検出部５１とを備えたガス給湯器（給湯器）である。
そして、給湯器１は、水漏れを判定するため、漏水判定部１０を含む水漏れ判定装置１００を、備えている。
図１には図示しないが、給湯器１には、給湯器１を制御する制御部を含み、その他一般に知られる給湯器に用いられる機構、機能部などを備えている。
【００３３】
水漏れ判定装置１００の概略構成を説明する。
水漏れ判定装置１００は、配管２０および熱交換器１１を通流する水の流量を検出する流量検出部５１を含んで機能する。
そして水漏れ判定装置１００は、水漏れを判定する水漏れ判定工程を実行する漏水判定部１０を備え、さらにケーシング６０外の雰囲気温度を計測する雰囲気温度検出部４２と、ケーシング６０内の給水配管２１中の水温を計測する水温検出部４１と、を含んで機能する。
【００３４】
以下、水漏れ判定装置１００および水漏れ判定装置１００を含む給湯器１について詳述する。
【００３５】
熱交換器１１は、配管２０を通流する水に熱を与えて湯水とする部材である。
熱交換器１１は、例えばガス配管２４から供給される天然ガスの燃焼火炎で得た熱を配管２０を通流する水に与える。
熱交換器１１への熱量供給は、ガス配管２４に備えたガスバルブ３３の開度調整で調整される。ガスバルブ３３の開閉および開度は、給湯器１の図示しない制御部が制御する。
燃焼ガスの排気は、排気管２５から、排気としてケーシング６０の外部へ放出される。
【００３６】
配管２０は、ケーシング６０内部に在る、給水して給湯する配管部である。配管２０は、熱交換器１１を備えている、
配管２０のうち、熱交換器１１の上流側の配管２０が、給水配管２１である。
配管２０のうち、熱交換器１１の下流側の配管２０が、給湯配管２３である。
したがって、配管２０は、外部から供給された水を給水として、給水配管２１、熱交換器１１、給湯配管２３へと通流させて、湯水消費装置９０へ給湯する。
【００３７】
なお、配管２０には、熱交換器１１をバイパスするように、給水配管２１から給湯配管２３へ接続するバイパス配管２２が設けられている。必要に応じてバイパス配管２２に設けられたバイパスバルブ３２の開度を調整し、給湯器１の給湯温度を調整することができる。
【００３８】
給水配管２１は、給湯器１の外部から給水を受け、熱交換器１１に連通する配管部である。
給水配管２１には、給水バルブ３１と、流量検出部５１と、水温検出部４１とが設けられている。本例では、給水配管２１には、給水バルブ３１、流量検出部５１、水温検出部４１、の順に設けられている。
本例では例えば、給水配管２１は２０Ａのフレキ配管で５０ｃｍ程度に構成される。この場合、給水配管２１の容積はおよそ０．２リットルである。
【００３９】
給湯配管２３は、熱交換器１１と連通し、熱交換器１１から供給される湯水を、給湯器１の外部にある温水消費装置９０へ供給する配管部である。
【００４０】
給水バルブ３１は、配管２０の水の通流を制御する弁部材である。給水バルブ３１は本例ではボール弁である。給水バルブ３１に用いる弁部材としては、その他、ダイヤフラム弁、バタフライ弁などを用いることもできる。
本例では、給水バルブ３１は、図示しない制御部からの指示に従って、開状態と、閉状態とに切り替わる。
【００４１】
つまり、本例では、給水バルブ３１が開状態で給湯可能となる。
給水バルブ３１の開閉状態に係る情報は、電気信号等に変換するなどして図示しない制御部や、漏水判定部１０を含む水漏れ判定装置１００へ出力されている。本例では、開状態、または、閉状態、のいずれかの状態であることを制御部や、水漏れ判定装置１００へ出力する。
【００４２】
流量検出部５１は、熱交換器１１を介して配管２０を通流する水の流量を検出する機構である。流量検出部５１には流量計が含まれる。流量検出部５１は、たとえば、流量計としてプロペラ式流量計を含み、当該流量計で検出した流量に係る情報を電気信号等に変換するなどして図示しない制御部や、漏水判定部１０を含む水漏れ判定装置１００へ出力する。
【００４３】
流量検出部５１は、本例では、その計測のダイナミックレンジの下限は２リットル毎分である。言い換えると、配管２０を通流する水の流量が２リットル毎分未満の場合は、流量検出部５１は、ゼロを出力する。
【００４４】
水温検出部４１は、給水配管２１中の水温を検出する機構である。つまり、水温検出部４１は、給水配管２１を通流する水の温度を検出する。水温検出部４１には温度センサなどの温度計が含まれる。水温検出部４１は、たとえば、温度センサとして熱電対を含み、当該熱電対で検出した温度に係る情報を電気信号等に変換するなどして図示しない制御部や、漏水判定部１０を含む水漏れ判定装置１００へ出力する。
【００４５】
本例では、給水配管２１は、水温検出部４１の温度センサ近傍の給水配管２１に、伝熱部４４を備えている。この伝熱部４４は、ケーシング６０内の雰囲気温度と、水温検出部４１の温度センサ近傍の給水配管２１内の水の温度とを近づける機能を発揮する。具体的には、水温検出部４１の温度センサ近傍の給水配管２１内の水の水温が、ケーシング６０内の雰囲気温度に近づくように、伝熱部４４を介して熱を、ケーシング６０内の雰囲気と、水温検出部４１の温度センサ近傍の給水配管２１内の水とでやり取りする。
【００４６】
伝熱部４４は、本例では、金属板が複数枚、水温検出部４１の温度センサ近傍の給水配管２１に立設した構成の、伝熱フィンである。
【００４７】
このように伝熱部４４を備えることで、水温検出部４１の近傍の給水配管２１の水温が、ケーシング６０内の雰囲気温度に近くなり、一方、水温検出部４１の近傍の給水配管２１の水温は、ケーシング６０外の雰囲気温度との差が大きくなる。
したがって、後述する温度差判定工程での判定が容易になる。
【００４８】
水温検出部４３は、給湯配管２３中の水温を検出する機構である。つまり、水温検出部４３は、給湯配管２３を通流する湯水の温度、すなわち給湯温度を検出する。水温検出部４３には温度センサなどの温度計が含まれる。水温検出部４３は、たとえば、温度センサとして熱電対を含み、当該熱電対で検出した温度を電気信号等に変換するなどして図示しない制御部へ出力する。水温検出部４３は、本例では熱交換器１１の下流側であって、給湯配管２３とバイパス配管２２との接続部の上流側に設けられている。
【００４９】
水漏れ判定装置１００は、給湯器１の水漏れを判定する装置であり、給湯器１の水漏れを判定する方法を実行する機能を備える。
水漏れ判定装置１００は、水漏れを判定する水漏れ判定工程を実行する漏水判定部１０と、時間を計測するタイマ１２と、水漏れの発生を報知する報知部１３と、漏水判定部１０に対する水漏れ判定工程の実行指示を受け付ける入力部１４と、ケーシング６０外の雰囲気温度を計測する雰囲気温度検出部４２とを含み、さらに、給水バルブ３１と、流量検出部５１と、水温検出部４１とを、給湯器１の給湯機能部と共有して含む。
したがって、漏水判定部１０と、タイマ１２と、報知部１３と、入力部１４と、雰囲気温度検出部４２と、給水バルブ３１と、流量検出部５１と、水温検出部４１とは、水漏れ判定装置１００として一体的に機能する。
【００５０】
雰囲気温度検出部４２は、ケーシング６０外の雰囲気温度を計測する機構である。雰囲気温度検出部４２には温度センサなどの温度計が含まれる。雰囲気温度検出部４２は、たとえば、温度センサとして熱電対を含み、当該熱電対で検出した温度を電気信号等に変換するなどして図示しない制御部や、漏水判定部１０を含む水漏れ判定装置１００へ出力する。
【００５１】
入力部１４は、漏水判定部１０に対する使用者からの指示を受け付ける入力機構である。本例では入力部１４は、水漏れ判定工程の実行ないし不実行を切り替え自在の入力装置である。入力部１４は、例えばタッチパネルや、ボタン式のリモコンである。
使用者は、必要に応じて水漏れ判定工程の実行を指示し、また、水漏れ判定工程の不実行を指示することができる。
【００５２】
タイマ１２は、時間の経過を計測する計時機構であり、漏水判定部１０の要求に応じて経過時間に係る情報を出力する。
【００５３】
漏水判定部１０は、水漏れ判定装置１００として、給湯器１の水漏れを判定する方法を水漏れ判定工程として実行する中核機構である。
漏水判定部１０は、タイマ１２と、報知部１３と、入力部１４と、給水バルブ３１と、流量検出部５１と、水温検出部４１と、から水漏れの発生の判定に必要な情報を受け取り、水漏れが発生しているかどうかを判定する。
【００５４】
この漏水判定部１０は、ケーシング６０外の雰囲気温度を計測する雰囲気温度検出部４２と、ケーシング６０内の給水配管２１中の水温を計測する水温検出部４３と、を備え、さらに漏水判定部１０は、水漏れ判定工程として、流量検出部５１の出力を監視して給湯停止と給湯開始とを判定する給水監視工程と、水温検出部４１の出力と雰囲気温度検出部４２の出力とを比較して、給水配管２１中の水温とケーシング６０外の雰囲気温度との温度差を判定する温度差判定工程と、水温検出部４３の出力の変動量ΔＴ２を判定する変動量判定工程と、を実行し、漏水判定部１０は、給水監視工程で給湯開始を判定し、かつ、温度差判定工程で温度差ΔＴ１が所定温度差以上であると判定し、かつ、変動量判定工程で変動量が所定の値を下回ると判定した場合に、水漏れが発生していると判定する。
【００５５】
報知部１３は、漏水判定部１０は、水漏れが発生していると判定した場合に、使用者や管理センタなどへ水漏れが発生している旨を報知する信号を発する機構である。
漏水判定部１０は、水漏れが発生していると判定した場合に、報知部１３に報知を指示する。報知部１３は報知の指示を受けつけると、あらかじめ定められた方法で報知する。
報知部１３はたとえば、水漏れを知らせる警報を音や光、もしくはその他の使用者が知覚可能な信号を発して水漏れが発生している旨を報知する。また、報知部１３は、給湯器１の状態を遠隔地で集中管理する管理センタなどへ、電気通信回線を介して通信して、水漏れが発生している旨を報知することもできる。
【００５６】
上記の給湯器１が、水漏れが発生することなく正常に機能している場合、ある一日における動作は例えば図２に示すようになる。
図２中、給湯温度は水温検出部４３で検出した給湯配管２３中の湯水の温度（給湯温度）を意味し、水温は水温検出部４１で検出した給水配管２１中の水の水温を、外気温度は、雰囲気温度検出部４２で検出した温度を意味し、給水流量は、流量検出部５１が検出した流量を意味する。
【００５７】
区間Ａは、給湯が長時間行われていない区間である。この区間Ａでは給湯が行われないから、ケーシング６０内の雰囲気温度はケーシング６０外の雰囲気温度と近しいため水温とケーシング６０外の雰囲気温度も近くなる。
【００５８】
区間Ｂは、給湯が時々行われる区間である。この区間Ｂでは時々給湯が行われるため、ケーシング６０内の雰囲気温度はケーシング６０外の雰囲気温度よりも高くなる。したがって、給湯が停止している場合に、給水配管２１中の水はケーシング６０内の雰囲気から熱を吸収し、給水配管２１中の水の水温はケーシング６０外の雰囲気温度よりも高くなる。
そして、給湯が開始されると、給水配管２１中の水は給湯に伴う給水により入れ替わり、給水配管２１中の水の温度は低下する。
【００５９】
区間Ｃは、給湯が頻繁に行われる区間である。この区間Ｃでは頻繁に給湯が行われるため、ケーシング６０内の雰囲気温度はケーシング６０外の雰囲気温度よりも高くなる。しかし、給湯が停止している期間が短いために、給水配管２１中の水はケーシング６０内の雰囲気から熱を吸収してその水温が上昇する前に給湯に伴う給水により入れ替わり、給水配管２１中の水の温度上昇は、水温検出部４１の出力としては現れない。
【００６０】
この給湯器１において、配管水漏れとは、湯水を使用者が使用せず給湯が行われない場合に、流量検出部５１の検出のダイナミックレンジの下限未満の流量の水が、配管２０を通流する場合を言う。
【００６１】
つまり、この給湯器１において、配管水漏れの具体例を例示列挙する。言うまでもなく、配管水漏れには、以下に例示する以外の例も含みうる。
たとえば、図１中の給湯配管２３にある破損部Ｌから水が流出した場合が該当する。
その他の配管水漏れの例としては、たとえば給水バルブ３１を閉にした場合において、給水バルブ３１に異物が噛みこむなどして、給水バルブ３１の弁部に隙間などができるなどの原因で、給水バルブ３１から水が下流側へリークし続ける場合も該当する。
また、給水バルブ３１を開にした場合において、湯水消費装置９０で湯水の消費と消費の停止を行う場合に、湯水消費装置９０の動作不良によって、少量の水が、配管２０を通流し続ける場合もなども該当する。
【００６２】
漏水判定部１０の水漏れ判定工程の実行例を説明する。
漏水判定部１０は、図３に示すように、入力部１４で水漏れ判定工程の実行指示を受け付けた場合（ステップ＃１１，Ｙｅｓ）、実行指示状態となり、水漏れ判定工程としてステップ＃１２からステップ＃１６を実行可能状態になる。
以下の各ステップの説明において、特記無き場合は、それぞれ判定は漏水判定部１０が行う。
【００６３】
水漏れ判定工程では、逐次、実行指示状態確認工程（ステップ＃１１）を行う。
水漏れ判定工程の実行中に入力部１４で水漏れ判定工程の実行指示が取り下げられて実行指示状態が解除されたとステップ＃１１で判定した場合（ステップ＃１１，Ｎｏ）、水漏れ判定工程を終了する。そうでなければ次工程のステップ＃１２へ移行する。
【００６４】
給水監視工程は、流量検出部５１の出力を監視して給湯停止と給湯開始とを判定する。給水監視工程は、所定期間Ｐｓの給湯停止を判定する工程（ステップ＃１２）と、給湯開始とを判定する工程（ステップ＃１４）とを含む。
【００６５】
ステップ＃１２は、所定期間Ｐｓが３時間以上の場合に、次工程のステップ＃１３に移行（ステップ＃１２，Ｙｅｓ）する。所定期間Ｐｓが３時間未満の場合（ステップ＃１２，Ｎｏ）には、ステップ＃１１に移行する。
なお、本例では、所定期間Ｐｓとして３時間を用いる場合を例示したが、その他の値も設定しうる。
【００６６】
なお、本例では、ステップ＃１４は、後述するステップ＃１３を実行した後に実行する。
【００６７】
温度差判定工程（ステップ＃１３）は、水温検出部４１の出力と、雰囲気温度検出部４２の出力とを比較して、給水配管２１中の水温とケーシング６０外の雰囲気温度との温度差ΔＴ１を判定する。
【００６８】
ステップ＃１３は、温度差ΔＴ１の絶対値が所定温度差として３℃を越える場合（ステップ＃１３，Ｙｅｓ）に、次工程のステップ＃１４に移行する。温度差ΔＴ１の絶対値が所定温度差を下回る３℃以下の場合（ステップ＃１３，Ｎｏ）には、ステップ＃１１に移行する。
なお、本例では、所定温度差として３℃を用いる場合を例示したが、その他の値も設定しうる。
【００６９】
ステップ＃１４は、給湯開始と判定した場合（ステップ＃１４，Ｙｅｓ）に、次工程のステップ＃１５に移行する。給湯開始と判定しなかった場合（ステップ＃１４，Ｎｏ）には、ステップ＃１１に移行する。
なお、給湯停止は、流量検出部５１の出力が、ゼロである場合を意味する。給湯開始は、流量検出部５１の直前の出力がゼロである場合に、ゼロでない流量を出力した場合を意味する。
【００７０】
変動量判定工程（ステップ＃１５）は、水温検出部４１の出力の変動量ΔＴ２を判定する。
【００７１】
ステップ＃１５は、変動量ΔＴ２の絶対値が所定の値として１℃未満でない場合（ステップ＃１５，Ｎｏ）に、ステップ＃１１に移行する。変動量ΔＴ２の絶対値が１℃未満の場合（ステップ＃１５，Ｙｅｓ）に、ステップ＃１５に移行する。つまり水漏れが発生したと判定する。そして、ステップ１５で報知部１３が報知を行い、動作は終了する。
なお、本例では、所定の値として１℃を用いる場合を例示したが、その他の値も設定しうる。
【００７２】
上述の所定期間Ｐｓ、温度差ΔＴ１、変動量ΔＴ２について補足する。
上述の水漏れ判定工程の実行例は、給湯器１が以下の条件等で設定ないし使用される場合の所定期間Ｐｓ、温度差ΔＴ１、変動量ΔＴ２を定めた例である。
【００７３】
給水配管２１内の水の温度上昇速度は、図３の区間Ｂの態様で使用されると仮定してあらかじめ行った実験結果により、１℃毎時以上の速度で温度が上昇する。
本例では、水温検出部４１の最小出力単位は１℃である。したがって、本例のステップ＃１５で変動量ΔＴ２が１℃未満であることを確実に判定する場合、ステップ＃１３の温度差ΔＴ１は少なくとも２℃以上必要である。本例ではステップ＃１５での誤判定を回避するために、温度差ΔＴ１は３℃に設定した。したがって、所定期間Ｐｓは、水の温度上昇量が３℃になるために必要な３時間に設定される。
【００７４】
給水配管２１は２０Ａのフレキ配管で５０ｃｍ程度に構成される。この場合、給水配管２１の容積はおよそ０．２リットルである。そして、温度差ΔＴ１は３℃に設定し、変動量ΔＴ２を１℃未満が判定される場合は、少なくとも３時間の間に、給水配管体積の２／３の容量の水が流入（漏れている）場合であるから、本例の条件で検出可能な最小漏れ量は０．０４リットル毎時であると導かれる。
したがって、本例によれば、流量検出部５１の計測のダイナミックレンジの下限である２リットル毎分よりも、十分小さい漏れ量である０．０４リットル毎時の漏れ量を検出できることが分かる。
【００７５】
以上のような構成により、ケーシング６０内に熱交換器１１を備え、給水配管２１から供給された水を、熱交換器１１で加熱して給湯配管２３から給湯する、給湯流量の流量検出部５１を備えた給湯器１の水漏れ判定装置１００であって、少量の水漏れが発生している場合にも、簡便に水漏れを検知する水漏れ判定装置１００および水漏れ判定方法を実現できる。
【００７６】
〔別実施形態〕
（１）
上記実施形態では、ステップ＃１２を行う例を示したが、ステップ＃１２は省略することもできる。
ステップ＃１２を省略する場合にも、所定期間Ｐｓが短ければ、ステップ＃１３で温度差ΔＴ１の絶対値が所定温度差を越えることは無いため、水漏れが発生している場合と、水漏れが発生している場合とを、判定することができる。
【００７７】
（２）
上記実施形態において、漏水判定部１０はさらに、給水バルブ３１の開閉状態を判定して、水漏れの発生を判定して、水漏れを検知しうる。
この場合は、給水バルブ３１の動作不良による、水漏れを特定して検知できる。
具体的には、給水バルブ３１が閉の場合において、給水バルブ３１に異物が噛みこむなどの原因で、給水バルブ３１の弁部に隙間などができるなどして、給水バルブ３１から水が下流側へリークし続ける場合を特定して検知しうる。
【００７８】
（３）
上記実施形態において、給湯器１は、ガス配管２４から供給される燃焼ガスの燃焼火炎で得た熱を、熱交換器１１で、配管２０を通流する水に与えて湯水とする例を示したが、給湯器１は燃焼火炎で得た熱を熱交換器１１で利用するものに限られない。
【００７９】
熱交換器１１は、給湯熱源として電気ヒータの熱を利用する物や、他の装置から発生した燃焼排ガスの熱を利用するもの、他の装置から発生した熱を熱媒を介して利用するものでも構わない。
【００８０】
（４）
上記実施形態において、伝熱部４４は、金属板が複数枚、水温検出部４１の温度センサ近傍の給水配管２１に立設した構成の、伝熱フィンである場合を例示したが、伝熱部４４はこの形態に限られない。
伝熱部４４としては、ケーシング６０内の雰囲気温度と、水温検出部４１の温度センサ近傍の給水配管２１内の水の温度とを近づけるその他の構成を含みうる。
【００８１】
伝熱部４４のその他の構成例としては、例えば、給水配管２１を金属性の蛇腹配管とすることができる。この場合は、給水配管２１全体が伝熱部４４として機能する。別な例としては、水温検出部４１を給水配管２１に設ける場合に、水温検出部４１と給水配管２１との接続部、すなわち継手を金属製の継手として、当該継手を伝熱部４４として機能させる場合もある。
【００８２】
（５）
上記実施形態において、ケーシング６０内の雰囲気の温度はケーシング６０外の雰囲気の温度よりも高い場合を示したが、例えば午前中の場合のように、ケーシング６０外の雰囲気の温度が速い速度で上昇しているような場合は、ケーシング６０内の雰囲気の温度はケーシング６０外の雰囲気の温度よりも低いこともある。
この場合は、ケーシング６０内の給水配管２１中の水温の変化は、ケーシング６０内の雰囲気の温度がケーシング６０外の雰囲気の温度よりも高い場合の逆になるが、水漏れ判定工程の動作は同様に行うことができる。
【００８３】
すなわち、給湯が停止した場合、給湯器１のケーシング６０内の給水配管２１中の水温は低下する。そして、給湯が停止した場合、その後、給湯が開始されると、ケーシング６０内の給水配管２１には、ケーシング６０外部の雰囲気温度に近い水温の水が再び供給される。したがって、給湯器１のケーシング内の給水配管２１中の水温は上昇する方向に変動する。
【００８４】
（６）
上記実施形態において、給湯器１は、給湯器１のケーシング６０内部に、配管２０を備え、配管２０に給湯熱源である熱交換器１１を備えている例を示したが、給湯器１は必ずしもケーシング６０を要しない。
【００８５】
給湯器１がケーシング６０を備えない場合にも、給湯に伴う給水配管２１中の水温の変化を水温検出部４３で検出すれば、漏水判定部１０は水漏れが発生していると判定することができる。
【００８６】
したがって、給湯器１がケーシング６０を備えない場合、漏水判定部１０は、雰囲気温度を計測する雰囲気温度検出部４２と、給水配管２１中の水温を計測する水温検出部４３と、を備え、さらに漏水判定部１０は、水漏れ判定工程として、流量検出部５１の出力を監視して給湯停止と給湯開始とを判定する給水監視工程と、水温検出部４１の出力と雰囲気温度検出部４２の出力とを比較して、給水配管２１中の水温と雰囲気温度との温度差を判定する温度差判定工程と、水温検出部４３の出力の変動量ΔＴ２を判定する変動量判定工程と、を実行し、漏水判定部１０は、給水監視工程で給湯開始を判定し、かつ、温度差判定工程で温度差ΔＴ１が所定温度差以上であると判定し、かつ、変動量判定工程で変動量が所定の値を下回ると判定した場合に、水漏れが発生していると判定する。
【００８７】
（７）
上記実施形態において、漏水判定部１０は、ケーシング６０外の雰囲気温度を計測する雰囲気温度検出部４２を備える例を示したが、漏水判定部１０は、ケーシング６０内の雰囲気温度を計測する雰囲気温度検出部４２を備えてもよい。
【００８８】
この場合、漏水判定部１０は、水漏れ判定工程として、流量検出部５１の出力を監視して給湯停止と給湯開始とを判定する給水監視工程と、水温検出部４１の出力と雰囲気温度検出部４２の出力とを比較して、給水配管２１中の水温とケーシング６０内の雰囲気温度との温度差を判定する温度差判定工程と、水温検出部４３の出力の変動量ΔＴ２を判定する変動量判定工程と、を実行し、漏水判定部１０は、給水監視工程で給湯開始を判定し、かつ、温度差判定工程で温度差ΔＴ１が所定温度差以上であると判定し、かつ、変動量判定工程で変動量が所定の値を下回ると判定した場合に、水漏れが発生していると判定する。
【００８９】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９０】
本発明は、ケーシング内に設けられた熱交換器と、給水配管から供給された水を熱交換器で加熱して給湯配管から給湯される給湯流量を検出する流量検出部とを備えた給湯器の水漏れ判定装置および水漏れ判定方法として用いることができる。
【符号の説明】
【００９１】
１        ：給湯器
１０      ：漏水判定部
１１      ：熱交換器（給湯熱源）
１３      ：報知部
１４      ：入力部
２０      ：配管
２１      ：給水配管
２３      ：給湯配管
４１      ：水温検出部
４２      ：雰囲気温度検出部
４３      ：水温検出部
５１      ：流量検出部
６０      ：ケーシング
１００    ：水漏れ判定装置
Ｐｓ      ：所定期間
ΔＴ１    ：温度差
ΔＴ２    ：変動量
【図１】
0006611650.tif 000002
【図２】
0006611650.tif 000003
【図３】
0006611650.tif 000004